(57)【要約】【課題】美粧性や耐火性能、作業性、コスト削減に優れた外断熱コンクリート壁の工法を提供する。【解決手段】コンクリート壁１７の外側に、断熱材５、耐火性外壁材４、タイル１９が配置されている。外壁材４と断熱材５とは予め接着されて積層パネル１になっており、コンクリート打設時の外型枠を兼用する。セパレータ装置３により、内壁材２との間隔が保持されている。セパレータ装置３は樹脂製の端部材１０を備えており、端部材１０にねじ込んだ固定用ボルト１１により、フレーム材６，７が固定されている。コンクリートを打設してフレーム材６，７を除去してから頭付きボルト１８を端部材１０にねじ込み、次いで、外壁材４の外面にタイルを貼る。【選択図】図３
2016151130.tif 000002
【特許請求の範囲】
【請求項１】
コンクリート壁の外側に断熱材と耐火性外壁材とタイル層とがその順序で配置されている建物の施工方法であって、
前記外壁材と断熱材とが接着されている積層パネル、前記コンクリート壁の内面に重なる内型枠、前記積層パネルと内型枠との間隔を規制するセパレータ装置、前記積層パネルと内型枠とを自立姿勢に保持する内外のフレーム材を用意し、
前記セパレータ装置で間隔が規制された積層パネルと内型枠との内外両側にフレーム材を配置して、前記フレーム材に貫通して前記セパレータ装置にねじ込まれた内外の固定ボルトを使用してフレーム材を積層パネル及び内型枠に固定することにより、前記積層パネルと内型枠と内外フレーム材とを一体に保持する、
前記積層パネルと内型枠との間にコンクリートを打設する、
コンクリートが固まってから、少なくとも外側のフレーム材及び固定ボルトを取り外す、前記外壁材の外面にタイルを貼る、
という工程に加えて、更に、
前記タイルを貼る前に、前記外壁材の外側に露出しないねじ手段を取り付けることにより、前記外壁材をコンクリート壁から離反しない状態に保持する、
という工程を有している、
外断熱建物の施工方法。
【請求項２】
前記セパレータ装置は、積層パネルの内面に当接する合成樹脂製の端部材と、この端部材にねじ込まれた両スペーサボルトとを有しており、前記端部材には雌ねじ穴が内外両側に開口するように形成されている一方、
前記ねじ手段は前記積層パネルを貫通して前記端部材にねじ込まれるボルトを有しており、前記固定ボルトを取り外してからねじ手段のボルトを端部材にねじ込むことにより、前記積層パネルがコンクリート壁に押さえ保持されている、
請求項１に記載した外断熱建物の施工方法。
【請求項３】
前記ねじ手段は、前記セパレータ装置とは別の位置に配置したアンカーボルトであり、コンクリートを打設する前にアンカーボルトが外壁材に取り付けられる、
請求項１に記載した外断熱建物の施工方法。
【発明の詳細な説明】
【技術分野】
【０００１】
本願発明は、外断熱のコンクリート製建物の施工方法に関するものである。
【背景技術】
【０００２】
コンクリート製建物の断熱手段は内断熱と外断熱とに大別される。いずれにしても、コンクリート壁の表面に断熱材を配置するものであり、同じ性能の断熱材を使用すると、断熱性能は外断熱が優れているのが一般的である。
【０００３】
また、内断熱にしても外断熱にしても、断熱材を後加工で取り付ける場合と、断熱材が壁材に一体化された積層パネルを型枠として、コンクリートの打設によって一体化させる場合とがある。そして、外断熱において、型枠を兼用する化粧用の表面板に断熱材を予め貼り付けておく工法が、特許文献１に開示されている。このように壁材としての化粧板をコンクリート打設のための型枠に兼用すると、施工に要する手間やコストを大幅に低減できる利点がある。
【０００４】
他方、外断熱の一つの問題は耐火性能の保持であるが、特許文献１の表面板として例示されている繊維入りのセメント板は耐火性であるため、防火性能に優れている。また、特許文献１では特殊な金具を使用しているが、表面板は金具によってコンクリート壁に押さえ保持されているため、火災に際して断熱材が溶損しても表面板が離反することはなくて、火災時の安全性にも優れていると云える。
【先行技術文献】
【特許文献】
【０００５】
【特許文献１】特開昭５６−１６３３４３号公報
【発明の概要】
【発明が解決しようとする課題】
【０００６】
さて、建物の外壁としては、窯業系やセメント系の壁材（サイディング）を使用したり、コンクリート壁の打ちっ放しにしたり、タイルを貼ったりすることが行われている。特許文献１はセメント系の壁材（表面材）を使用した例であるが、表面材を残存型枠として使用すると、工事中に表面材が傷つく可能性も高いため、工事に慎重を要するという問題がある。
【０００７】
他方、コンクリート製の建物では外面にタイルを貼ることは広く行われており、そこで、コンクリート製建物において外断熱としつつ外面をタイル貼りすることが考えられる。その手段として、特許文献１の表面材をタイルに置き換えることが考えられるが、この場合は、断熱材の表面にモルタル層を形成するなどせねばならないため、工事に多大の手間がかかるのみでなく、断熱材が溶損するとタイルが落下するため、防火性・耐火性の問題もある。
【０００８】
また、コンクリートの打設に際して断熱材を起立姿勢に保持するための型枠が必要になるため、施工の手間とコストが相当に嵩むことは否めない。
【０００９】
本願発明はこのような現状に鑑み成されたものであり、外断熱方式でタイル貼りされたコンクリート製建物の施工方法において、耐火性・防火性に優れて施工コストもできるだけ抑制できる工法を提供せんとするものである。また、本願は、施工方法に関連した部材や壁の構造などに関する改良も含んでおり、これらの改良も目的たり得るものである。
【課題を解決するための手段】
【００１０】
本願発明は、コンクリート壁の外側に断熱材と耐火性外壁材とタイル層とがその順序で配置されている建物の施工方法であり、この施工方法には、前記外壁材と断熱材とが接着されている積層パネル、前記コンクリート壁の内面に重なる内型枠、前記積層パネルと内型枠との間隔を規制するセパレータ装置、前記積層パネルと内型枠とを自立姿勢に保持する内外のフレーム材が使用される。
【００１１】
更に本願発明では、(1).前記セパレータ装置で間隔が規制された積層パネルと内型枠との内外両側にフレーム材を配置して、前記フレーム材に貫通して前記セパレータ装置にねじ込まれた内外の固定ボルトを使用してフレーム材を積層パネル及び内型枠に固定することにより、前記積層パネルと内型枠と内外フレーム材とを一体に保持する、(2).前記積層パネルと内型枠との間にコンクリートを打設する、(3).コンクリートが固まってから、少なくとも外側のフレーム材及び固定ボルトを取り外す、(4).前記外壁材の外面にタイルを貼る、という基本構成を有している。
【００１２】
更に本件発明は、上記基本構成に加えて、(5).前記タイルを貼る前に、前記外壁材の外側に露出しないねじ手段を取り付けることにより、前記外壁材をコンクリート壁から離反しない状態に保持する、という工程を有している。
【００１３】
請求項２では、請求項１において、前記セパレータ装置は、積層パネルの内面に当接する合成樹脂製の端部材と、この端部材にねじ込まれた両スペーサボルトとを有しており、前記端部材には雌ねじ穴が内外両側に開口するように形成されている一方、前記ねじ手段は前記積層パネルを貫通して前記端部材にねじ込まれるボルトを有しており、前記固定ボルトを取り外してからねじ手段のボルトを端部材にねじ込むことにより、前記積層パネルがコンクリート壁に押さえ保持されている。
【００１４】
請求項３の発明は、請求項１において、前記ねじ手段は、前記セパレータ装置とは別の位置に配置したアンカーボルトであり、コンクリートを打設する前にアンカーボルトが外壁材に取り付けられるようになっている。
【００１５】
なお、本願発明は外断熱を対象にしているが、内断熱を排除するものではない。従って、内型枠の内面に断熱材を配置することも可能である。また、断熱材として発泡樹脂を使用する場合、これに、白蟻の侵入を阻止する防蟻剤を混入させることも可能である。この場合、防蟻剤としては、安全性と効果との両立の点からチアメトキサムが好ましい。
【発明の効果】
【００１６】
本願各発明では、外壁材と断熱材とからなる積層パネルが型枠を兼用しているため、施工の手間とコストとを大きく抑制できる。また、外壁材は耐火性でしかも外面にはタイルが貼られるため、防火性性能に優れている。
【００１７】
また、特許文献１では表面材（外壁材）が露出しているため、隣り合った表面材にずれがあると見た目が非常に悪くなるが、本願発明では外壁材はタイルで覆われているため、隣り合った外壁材の間に多少のずれ（上下方向や左右方向のずれ、或いは厚さ方向のずれ）があっても目立つことはなくて、美しい仕上がりを実現できる。
【００１８】
更に、外壁材はタイルで覆われるため、工事中に外壁材が多少傷ついても特段の問題は生じない。このため、外壁材を慎重な取り扱うことは不要であり、それだけ工事の手間を抑制することができる。
【００１９】
そして、外壁材はねじ手段によってコンクリート壁から離脱しない状態に保持されているため、火災に際して断熱材が溶損しても外壁材が脱落することはない。このため、火災が起きた場合の安全性を確保することができる。
【図面の簡単な説明】
【００２０】
【図１】第１実施形態の施工途中の状態を示す斜視図である。
【図２】（Ａ）は図１の部分正面図、（Ｂ）は（Ａ）のＢ−Ｂ視断面図である。
【図３】第１実施形態を示す図で、（Ａ）はコンクリート打設工程の図、（Ｂ）はフレーム材を除去した後の図、（Ｃ）は外壁材をねじ止めした状態の図である。
【図４】（Ａ）はタイルを貼った後の断面図、（Ｂ）は（Ａ）のＢ−Ｂ視正面図である。
【図５】ねじ止めしない箇所の処理方法を示す図である。
【図６】第２実施形態の断面図である。
【図７】第３実施形態の断面図である。
【図８】第４実施形態の断面図であり、（Ａ）はコンクリート打設前の状態の図、（Ｂ）はコンクリート壁が形成された後の図である。
【図９】第５実施形態の断面図である。
【図１０】第６実施形態の断面図である。
【図１１】外壁材の表面の例を示す第７実施形態の断面図である。
【発明を実施するための形態】
【００２１】
(1).第１実施形態の構造
次に、本願発明の実施形態を図面に基づいて説明する。まず、図１〜４に示す第１実施形態を説明する。図１は施工途中の状態を示しており、壁の要素として、外型枠を兼用する積層パネル１と、内型枠を兼用する内壁材２を備えている。積層パネル１と内壁材２とは、セパレータ装置３によって所定の間隔に保持されている。積層パネル１と内壁材２とは、いずれも縦長の長方形になっている。
【００２２】
積層パネル１は、外側に位置した外壁材４と内側に位置した断熱材５とを接着して構成されており、外壁材４の外面には、縦長フレーム材６の群が重なっており、縦長フレーム材６の群に外側から横長フレーム材７の群が重なっている。内壁材２の内側にも、縦長フレーム材６と横長フレーム材７との群が配置されている。縦長フレーム材６，７はＣ形のチャンネル材を使用しているが、丸パイプや角パイプなども使用できる。
【００２３】
外壁材４は、窯業系やセメント系の板材、珪酸カルシウム板など耐火性不燃材が使用されている。断熱材４は、例えば、発泡ポリスチレンや発泡スチロールなどの発泡樹脂が使用される。勿論、グラスウールのような無機質のものも使用可能である。断熱材４は、外壁材４よりも厚くなっている。内壁材２は、例えば、珪酸カルシウム板のような不燃材が使用できるが、コンパネのような木質板や、ＡＬＣ板なども使用可能である。
【００２４】
図２に示すように、セパレータ装置３は、水平姿勢のスペーサボルト９と、これに両側からねじ込まれた一対の端部材１０とで構成されており、端部材１０に、縦横のフレーム材６、７の交叉部に貫通した固定用ボルト１１が外側からねじ込まれている。従って、端部材１０は中空筒状に形成されていて、内周に雌ねじが形成されている。スペーサボルト９はスチールやステンレスのような金属製であり、端部材１０は樹脂製である。
【００２５】
スペーサボルト９には端部材１０の端面に重なるフランジ１２が形成されており、このため、積層パネル１と内壁材２との間隔は一定に保持されている。スペーサボルト９に代えて単なる棒材や板材のスペーサを使用し、これを端部材１０にインサート成形などで固定することも可能である。
【００２６】
外壁材４及び断熱材４には、固定用ボルト１１が挿通するボルト穴１３，１４を空けている。この場合、外壁材４のボルト穴１３の箇所に、ある程度の深さの座繰り穴１５が外向きに開口した状態で形成されている。固定用ボルト１１には、横長フレーム材７の内面に当接するナット１６が外側からねじ込まれており、ナット１６と端部材１０とにより、積層パネル１とフレーム材６，７とが挟み固定されている。内壁材２とフレーム材６，７も、端部材１０とナット１６とで挟み固定されている。
【００２７】
壁の施工手順を図３，４に示している。すなわち、図３に示すように、上記のような手段で積層パネル１と内壁材２とを所定姿勢に保持して、その状態でコンクリートを打設して固まらせることによってコンクリート壁１７を形成し、次いで、図３（Ｂ）のとおりフレーム材６，７を取り外し、次いで、図３（Ｃ）のとおり、積層パネル１のボルト挿通穴１３，１４に挿通した頭付きボルト１８を端部材１０にねじ込むことにより、積層パネル１をコンクリート壁１７に押さえ保持し、次いで、図４に示すように、外壁材４の外面にタイル１９の群を貼っていく。図では省略しているが、積層パネル１と内壁材２との間には鉄筋の群が配置されている。
【００２８】
頭付きボルト１８はねじ手段の一例であり、頭は、外壁材４に形成した座繰り穴１５の内部に納まっている。従って、ボルト１８の頭は外壁材４の外側に露出しておらず、タイル１９を貼るに際してボルト１８の頭が邪魔になることはない。なお、タイル１９を貼るに際して、座繰り穴１５はモルタルで埋められる。
【００２９】
(2).まとめ
以上の構成において、積層パネル１が外型枠を兼用しているため、施工の手間とコストとを大きく抑制できる。しかも、外壁材４は耐火不燃材であって外面にはタイル１９が貼られるため、防火性性能に優れている。また、コンクリート壁１７と断熱材４とは接着されており、しかも、外壁材４はボルト１８でコンクリート壁１７に保持されているため、仮に火災に逢って断熱材４が溶損しても外壁材４が落下することはなくて、火災時の安全性にも優れている。
【００３０】
また、隣り合った外壁材４が面方向や厚さ方向に多少ずれていても、タイル１９を貼るとずれは全く判らないため、美しい仕上がりを実現できる。更に、外壁材４はタイル１９で覆われるため、工事中に多少傷ついても問題はない。このため、外壁材４を慎重に取り扱うことは不要であり、それだけ工事の手間を抑制することができる。
【００３１】
本実施形態のように、セパレータ装置３の要素として樹脂製の端部材１０を使用すると、樹脂は金属に比べて熱電導性が悪くて断熱性に優れているため、頭付きボルト１８からスペーサボルト９への伝熱を抑制して断熱性能を向上できる利点がある。スペーサボルト９を樹脂製にして端部材１０を金属製にしたり、スペーサボルト９と端部材１０との両方を樹脂製にすることも可能である。
【００３２】
積層パネル１には多数のボルト穴１３，１４が空いているが、必要とするボルト１８の本数がボルト穴１３，１４の数より少ないことも想定される。この場合は、頭付きボルト１８を挿通する必要がないボルト挿通穴１３，１４は、図５に示すように、ガンで注入した樹脂系等の充填剤（コーキング剤）２０で塞いだらよい。充填剤２０の代わりに、断熱材５と同じ素材よりなる棒状体を嵌め込むことも可能である。或いは、モルタルで塞いでもよい。
【００３３】
また、図３（Ｃ）のようにボルト１８をねじ込むに際しては、ボルト挿通穴１３，１４に図５のような充填剤２０を適宜量注入しておいて、頭付きボルト１８とボルト挿通穴１３，１４との間の隙間を埋めておくのも好ましい。なお、頭付きボルト１８のねじ込みやタイル１９の貼り工程は、内側のフレーム材６，７を取り付けた状態で行うことも可能である。端部材１０は、コンクリート壁１７に対して回転不能に保持されるように、外周面にリブや溝を形成しておいてもよい。
【００３４】
(3).他の実施形態
次、図６以下に示す他の実施形態を説明する。図６に示す第２実施形態では、ねじ手段として、両切りボルト２２とこれに螺合したナット２３とを使用している。この実施形態では、コンクリート壁１７が固まってからフレーム材を取り外し、次いで両切りボルト２２を端部材１０にねじ込んで、次いで、ナット２３をソケットレンチ（図示せず）で両切りボルト２２にねじ込むことになる。
【００３５】
図７に示す第３実施形態では、樹脂製の端部材１０を断熱材４に設けた穴２４に嵌め込んで、端部材１０を外壁材４の内面に当接させている。このため、積層パネル１と内壁剤２との間隔を高い制度で保持できる利点がある。また、端部材１０は断熱材４に比べて耐熱性が高いため、火災に際して断熱材４が溶損しても外壁材４をしっかりと保持できる利点もある。端部材１０は、コンクリート壁１７に対して回転不能に保持されるように、端面にリブを突設するなどしてもよい。
【００３６】
図８に示す第４実施形態は、請求項３を具体化したものである。この実施形態では、セパレータ装置３を構成する端部材１０は断熱材４に嵌め込んでおり、端部材１０にねじ込んだ固定用ボルト１１によってフレーム材（図示せず）が固定される。
【００３７】
そして、積層パネル１のうち端部材１０から離れた箇所に、ねじ手段として、壁の内部に向かうアンカーボルト２５を取り付けている。アンカーボルト２５は頭付きボルトを使用しており、外壁材４には、アンカーボルト２５の頭が入り込む座繰り穴１５を外向きに開口するように形成すると共に、内面側には、アンカーボルト２５が螺合するナット２７を埋設している。従って、アンカーボルト２５は外壁材４に固定されている。
【００３８】
ナット２７は、例えば外壁材４を製造する型にインサートされており、外壁材４に回転不能に保持されている。アンカーボルト２５の取り付けは、積層パネル１をセットしてからコンクリートの打設前に行うのが好ましい。アンカーボルト２５は断熱材４に強引に突き刺してもよいが、ドリルで下穴を空けてからアンカーボルト２５をねじ込むのが好ましいと云える。
【００３９】
この実施形態では、アンカーボルト２５はセパレータ装置３とは異なる部位においてコンクリート壁１７に保持されているため、外壁材４の支持機能が高い利点がある。また、アンカーボルト２５からスペーサボルト９への断熱はないため、断熱性能も優れている。端部材１０に樹脂系等の充填剤を注入しておくと、断熱性能を一層向上できる。端部材１０は、一点鎖線で示すように断熱材４の内面に当接させてもよい。
【００４０】
図９に示す第５実施形態は、アンカーボルト２５の別例である。この実施形態では、アンカーボルト２５として、先端が尖ってねじ山のピッチが大きい木ねじ状の自己穿孔ねじを使用している。このため、外壁材４にナットを埋設したり断熱材５に下穴を空けたりすることは不要であり、それだけ作業性に優れている。
【００４１】
また、アンカーボルト２５の基端部が外壁材４の下穴に食い込むことにより、外壁材４はアンカーボルト２５にしっかりと固定される。このため、火災で断熱材４が溶損しても、外壁材４は安定した状態に保持される。敢えて述べるまでもないが、アンカーボルト２５のねじ込みは、積層パネル１をセットしてからコンクリートを打設する前の段階で行われる。
【００４２】
図１０に示す第６実施形態では、セパレータ装置３は、金属製の外端部材２９と、これに内側からねじ込まれた樹脂製のスペーサロッド３０とで構成されている。このうち外端部材２９は筒状で、内面には雌ねじが全長に亙って形成されていると共に、外周の中途部には、断熱材４の内面に当たるフランジ３１を有している。
【００４３】
他方、スペーサロッド３０は、内壁材２に向いて開口した雌ねじ穴が形成されていると共に、外端部材２９に螺合する雄ねじ部３２が形成されている。内周には雌ねじが形成されている。図１０ではコンクリート壁１７が形成された後の状態を示しており、金属製の外端部材２９がコンクリート壁１７に部分的に埋設されているため、外壁材４はしっかりと保持されている。
【００４４】
そして、スペーサロッド３０は伝熱性が悪い樹脂製であるため、高い断熱性能を確保できる。また、外端部材２９は外壁材４の内面に当接しているため、積層パネル１と内壁材２との間隔も高い制度に維持できる。図では省略しているが、外端部材２９は、コンクリート壁１７に対して回転不能に保持するための姿勢保持手段（例えばリブ）を有している。
【００４５】
タイル１９はモルタルをバインダーとして外壁材４の外面に貼られるが、外壁材４の外面が粗面であると、表面積が大きくなってタイル１９の接着強度も向上する。そこで、図１１に示す第７実施形態では、外壁材４の外面を粗面に形成した例を示している。このうち（Ａ）では、基準面を平面として、多数の突起３３を形成している。突起３３は散点状に形成してもよいし、線状に長い状態で多数形成してもよい。図１１のち（Ｂ）に示す例では、外壁材４の外面を鋸歯状の断面形状に形成している。
【００４６】
以上、本願発明の実施形態を何点か説明したが、本願発明は、上記の実施形態の他にも様々に具体化できる。例えば、セパレータ装置として板金加工品を使用することも可能である。
【００４７】
なお、本実施形態の外断熱用積層パネルは、コンクリートを打設しない木造建物やプレハブ式建物にも適用できるのであり、外面にタイルを貼ることで美粧性や耐火性等を向上できる。この場合、既述のように、断熱材としてチアメトキサム等の防蟻剤を混入した発泡樹脂を使用すると、白蟻の食害を防止できる利点がある。
【産業上の利用可能性】
【００４８】
本願発明は、実際にコンクリート製建物の工法に具体化できる。従って、産業上利用できる。
【符号の説明】
【００４９】
１  外型枠を兼用する積層パネル
２  内型枠を兼用する内壁材
３  セパレータ装置
４  外壁材
５  断熱材
６，７  フレーム材
９  セパレータ装置を構成するスペーサボルト
１０  セパレータ装置を構成する端部材
１５  座繰り穴
１７  コンクリート壁
１８  ねじ手段の一例としての頭付きボルト
２２  ねじ手段を構成する両切りボルト
２３  ねじ手段を構成するナット
２５  ねじ手段の一例としてのアンカーボルト
【図１】
2016151130.tif 000003
【図２】
2016151130.tif 000004
【図３】
2016151130.tif 000005
【図４】
2016151130.tif 000006
【図５】
2016151130.tif 000007
【図６】
2016151130.tif 000008
【図７】
2016151130.tif 000009
【図８】
2016151130.tif 000010
【図９】
2016151130.tif 000011
【図１０】
2016151130.tif 000012
【図１１】
2016151130.tif 000013